(57)【要約】【課題】ボンネット前部の衝撃吸収性能を良好にすること。【解決手段】ボンネット６の下方に、エンジン上部から側方にかけて覆う、上壁部３０、前壁部としてのシュラウド８、後壁部１３、および左右各側の側壁部１１，１２から構成されるカバー部材１を備え、右側壁部１１の前方側に、該前方側が後方側に対し剛性が低い低剛性部４２を備えるとともに、左側壁部１２の前方側に、該前方側が後方側に対し剛性が低い低剛性部４７（４４および４６）、６２を備えた。【選択図】図１
2019206948.tif 000002
【特許請求の範囲】
【請求項１】
ボンネットの下方に、エンジン上部から側周面にかけて覆う、上壁部、前壁部、後壁部、および左右両側の側壁部から構成されるカバー部材を備える車両の前部構造であって、
少なくとも左右何れか一方の上記側壁部の前方側を、後方側に対し、該後方側の主要部を成す高剛性部材よりも剛性の低い低剛性部材の占める割合を高く構成した
車両の前部構造。
【請求項２】
上記カバー部材は、上記上壁部と左右各側の開閉側壁部と開閉後壁部とを有する開閉可能な開閉カバーを備え、
上記左右各側の側壁部は、上記左右各側の開閉側壁部と、該左右各側の開閉側壁部の下端をシール部材を介し上端で支持する左右各側の固定壁部とから構成され、
上記後壁部は、上記開閉後壁部と、該開閉後壁部をヒンジを介し回動可能に支持する固定後壁部とから構成され、
上記固定側壁部の前部を、上記高剛性部材と、該高剛性部材よりも上側に備えた上記低剛性部材とで構成した
請求項１に記載の車両の前部構造。
【請求項３】
上記高剛性部材は、ＰＰ材から形成されるとともに、上記低剛性部材は、上記ＰＰ材よりも剛性が低いエラストマー樹脂材から形成され、
上記側壁部は、その主要部が上記高剛性部材により構成されるとともに、該側壁部の前方部が、後方部よりも上記低剛性部材の占める割合が高くなるように構成された
請求項１又は２に記載の車両の前部構造。
【請求項４】
上記側壁部は上記高剛性部材と上記低剛性部材とが一体成形により構成された
請求項３に記載の車両の前部構造。
【請求項５】
上記側壁部の内壁面側に保温部材が取付けられた
請求項４に記載の車両の前部構造。
【請求項６】
上記側壁部の上部には、上記低剛性部材より剛性の高い車両部品を挿通する高剛性車両部品挿通用貫通部が設けられており、上記側壁部における該高剛性車両部品貫通用貫通部の下方は、上記低剛性部材が占める割合が他部より高く設けられた
請求項１乃至５のいずれか１項に記載の車両の前部構造。
【請求項７】
上記側壁部の上部には、上記高剛性部材よりも剛性が低い車両部品を挿通する低剛性車両部品挿通用貫通部が設けられており、
上記低剛性車両部品挿通用貫通部に挿通した上記車両部品が上記低剛性部材を代用する構成とした
請求項１乃至６のいずれか１項に記載の車両の前部構造。
【請求項８】
上記低剛性車両部品挿通用貫通部に挿通する上記車両部品が、蛇腹形状の吸気ホースである
請求項７に記載の車両の前部構造。
【発明の詳細な説明】
【技術分野】
【０００１】
この発明は、ボンネットの下方に、エンジンの上部から側周面にかけて覆う、上壁部、前壁部、後壁部、および左右両側の側壁部から構成されるカバー部材を備えた車両の前部構造に関する。
【背景技術】
【０００２】
エンジンの次回運転時の暖機早期化等を目的とし、エンジンの熱を保温するためにエンジン上面から側周面にかけてカバー部材で覆う構造が知られている（例えば、特許文献１参照）。
【０００３】
ところで、車両と歩行者との衝突時に、ボンネットの衝撃吸収の底突きによる、歩行者に対する傷害値の上昇を抑制して歩行者を保護するために、歩行者が傾倒してくるボンネット上の衝撃吸収性能を高めておくことが重要となる。
【０００４】
しかしながら、ボンネットの衝撃吸収性を高める上で、カバー部材の側壁の高さを十分確保しておくことが有効であるが、ボンネットは通常、前方程高さが低く形成されており、それに伴ってカバー部材の側壁の高さも低くなるため、ボンネット前部における上方からの衝撃吸収性能が悪化することが懸念される。
【０００５】
特許文献１には、このような懸念についてや、その対策についての記載が何ら見受けられず、対策を講じる必要があった。
【先行技術文献】
【特許文献】
【０００６】
【特許文献１】特開２０１７−１７７９６６号公報
【発明の概要】
【発明が解決しようとする課題】
【０００７】
本発明はこのような課題に鑑みてなされたもので、ボンネット前部の衝撃吸収性能を良好にできる車両の前部構造の提供を目的とする。
【課題を解決するための手段】
【０００８】
この発明は、ボンネットの下方に、エンジン上部から側周面にかけて覆う、上壁部、前壁部、後壁部、および左右両側の側壁部から構成されるカバー部材を備える車両の前部構造であって、少なくとも左右何れか一方の上記側壁部の前方側を、後方側に対し、該後方側の主要部を成す高剛性部材よりも剛性の低い低剛性部材の占める割合を高く構成したものである。
【０００９】
上記構成によれば、ボンネット前部の衝撃吸収性能を良好にできる。
【００１０】
この発明の態様として、上記カバー部材は、上記上壁部と左右各側の開閉側壁部と開閉後壁部とを有する開閉可能な開閉カバーを備え、上記左右各側の側壁部は、上記左右各側の開閉側壁部と、該左右各側の開閉側壁部の下端をシール部材を介し上端で支持する左右各側の固定壁部とから構成され、上記後壁部は、上記開閉後壁部と、該開閉後壁部をヒンジを介し回動可能に支持する固定後壁部とから構成され、上記固定側壁部の前部を、上記高剛性部材と、該高剛性部材よりも上側に備えた上記低剛性部材とで構成したものである。
【００１１】
上記構成によれば、開閉カバーの剛性を確保した上でボンネット前部の衝撃吸収性能を良好にできる。
【００１２】
この発明の態様として、上記高剛性部材は、ＰＰ材から形成されるとともに、上記低剛性部材は、上記ＰＰ材よりも剛性が低いエラストマー樹脂材から形成され、上記側壁部は、その主要部が上記高剛性部材により構成されるとともに、該側壁部の前方部が、後方部よりも上記低剛性部材の占める割合が高くなるように構成されたものである。
【００１３】
上記構成によれば、ＰＰ材により側壁部の基礎となる剛性を確保しつつ、エラストマー樹脂材により側壁部の前部の剛性を部分的に下げることができる。
【００１４】
この発明の態様として、上記側壁部は上記高剛性部材と上記低剛性部材とが一体成形により構成されたものである。
【００１５】
上記構成によれば、部品点数及び組立工数を削減できる。
【００１６】
この発明の態様として、上記側壁部の内壁面側に保温部材が取付けられたものである。
【００１７】
上記構成によれば、側壁部の内壁面側に保温部材を隙なく取り付けることができる。
【００１８】
この発明の態様として、上記側壁部の上部には、上記低剛性部材より剛性の高い車両部品を挿通する高剛性車両部品挿通用貫通部が設けられており、上記側壁部における該高剛性車両部品貫通用貫通部の下方は、上記低剛性部材が占める割合が他部より高く設けられたものである。
【００１９】
上記構成によれば、剛性の高い車両部品のカバー部材の内外各間の配索とボンネット前部の衝撃吸収性能とを両立できる。
【００２０】
この発明の態様として、上記側壁部の上部には、上記高剛性部材よりも剛性が低い車両部品を挿通する低剛性車両部品挿通用貫通部が設けられており、上記低剛性車両部品挿通用貫通部に挿通した上記車両部品が上記低剛性部材を代用する構成としたものである。
【００２１】
上記構成によれば、上記低剛性車両部品挿通用貫通部に挿通した車両部品を利用してボンネット前部の衝撃吸収性能を良好にできる。
【００２２】
この発明の態様として、上記低剛性車両部品挿通用貫通部に挿通する上記車両部品が、蛇腹形状の吸気ホースである。
【００２３】
上記構成によれば、蛇腹、かつ、中空形状の吸気ホースを利用してボンネット前部の衝撃吸収性能を良好にできる。
【発明の効果】
【００２４】
この発明によれば、ボンネット前部の衝撃吸収性能を良好にすることができる。
【図面の簡単な説明】
【００２５】
【図１】本実施形態の車両の前部構造の要部を車両前側かつ右側から見た斜視図。
【図２】本実施形態の車両の前部構造の要部を車両後側かつ左側から見た斜視図。
【図３】本実施形態の車両の前部構造の平面図。
【図４】図１中の要部拡大図。
【図５】本実施形態の車両の前部構造の要部を示す車両左側から見た側面図。
【図６】図３中のＡ−Ａ線要部矢視断面図。
【図７】図４中のＢ−Ｂ線に沿った要部矢視断面図。
【図８】図５中のＣ−Ｃ線に沿った要部矢視断面図。
【発明を実施するための形態】
【００２６】
この発明の一実施例を以下図面に基づいて詳述する。  
図中、矢印Ｆは車両前方を示し、矢印Ｒは車両右方を示し、矢印Ｌは車両左方を示し、矢印Ｕは車両上方を示すものとする。
【００２７】
図１〜図３は、本発明の本実施形態のエンジンの保温構造を備えた車両の前部構造を示し、まず、エンジンの保温構造の説明に先立って、車両の前部構造について説明する。  
図１〜図３に示すように、上述のエンジンルームの車両前方にはシュラウド８を設けている（図２参照）。
【００２８】
図１、図２に示すように、上述のシュラウド８は、熱交換器としてのラジエータやコンデンサを覆うように、アッパメンバ８Ｕとロアメンバ８Ｌと、これら上下の各メンバ８Ｕ，８Ｌを上下方向に連結する左右のサイドメンバ８Ｓ，８Ｓとを略方形枠状に一体形成したものである。
【００２９】
シュラウド８は、各メンバ８Ｕ，８Ｌ，８Ｓ，８Ｓ間に車両前後方向に貫通する開口８ａが設けられるとともに（図１参照）、該開口８ａを開閉可能に塞ぐシャッタ（図示略）を備えている。シュラウド８は、シャッタにより開口８ａを閉塞することにより、後述するカバー部材１の前壁部として構成される。
【００３０】
また、車両の前部のエンジンルームの上方には、該エンジンルームを開閉可能に覆うボンネット６が配設されており（図５参照）、このボンネット６は、前方程下方へ緩やかに傾斜して延びている。
【００３１】
図１〜図３に示すように、エンジンルームの左右両サイドにおいてダッシュロアパネル（ダッシュパネル）（図示略）から車両の前方に延びるフロントサイドフレーム７（車両右側のみ図示）を設けている。  
このフロントサイドフレーム７は、フロントサイドフレームインナ７ｉとフロントサイドフレームアウタ７ｏとを接合固定して、車両の前後方向に延びる閉断面を備えた車体強度部材であって、当該フロントサイドフレーム７の前端部には、クラッシュカン取付け用のセットプレート９を設けている。
【００３２】
図２に示すように、車両右側のフロントサイドフレーム７におけるフロントサイドフレームインナ７ｉは、エンジンマウントブラケット９０を下側から支持している。  
このエンジンマウントブラケット９０は、図１に示すように、ボディ側ブラケット９１とエンジン側ブラケット９２と、両ブラケット９１，９２間に介設したマウントラバー９３とを備えている。
【００３３】
図１に示すように、ボディ側ブラケット９１は、前後の脚部９１ａ，９１ｂと、これら前後の脚部９１ａ，９１ｂの下端に一体形成された取付け部としての取付け座９１ｃ，９１ｄと（図１、図２参照）、前後二箇所の取付け部間である取付け座９１ｃ，９１ｄ間を塞ぐ縦壁部９１ｅ，９１ｆ，９１ｇとを備えている。
【００３４】
上述のボディ側ブラケット９１の前後の取付け座９１ｃ，９１ｄが、ボルト１２０およびナット部材１３０を用いて、フロントサイドフレームインナ７ｉの上面に締結されるものである（図２、図７参照）。  
なお、上述のボディ側ブラケット９１およびエンジン側ブラケット９２は何れもアルミダイカストにより形成されている。
【００３５】
次に、本実施形態の車両の前部構造に備えたエンジンの保温構造について図１〜図３に加えて図４〜図８を用いて詳述する。  
なお、図４においては、エンジンマウントブラケット９０の図示を省略している。
【００３６】
図１〜図３に示すように、ボンネット６の下方に、エンジン上部から側方にかけて覆う、上壁部３０、前壁部（８）、後壁部１３、および左右両側の側壁部１１，１２から構成されるエンジンの保温構造としてのカバー部材１を備えている。
【００３７】
上記カバー部材１は、カバー本体部２と、該カバー本体部２に対して開閉可能に取り付けられ、エンジンを覆う蓋部３とを備えている。
【００３８】
カバー本体部２は、車両左右各側においてエンジンの側方を覆うカバー本体右側壁部２１およびカバー本体左側壁部２２と、エンジンの後方を覆うカバー本体後壁部２３と、前壁部としてのシュラウド８を備えている。
【００３９】
蓋部３は、上壁部３０と、車両左右各側においてエンジンの側方上部を覆う蓋部右側壁部３１および蓋部左側壁部３２と、エンジンの後方上部を覆う蓋部後壁部３３とを備えている。
【００４０】
蓋部右側壁部３１、蓋部左側壁部３２および蓋部後壁部３３は、夫々上壁部３０の右縁、左縁、後縁から下方にスカート状に延びている。そして上壁部３０は、その上面がボンネット６の形状に対応して、後部から前方に向けて徐々に程低くなるように緩やかに傾斜して形成し、これに対応して蓋部右側壁部３１、蓋部左側壁部３２は、共に前方程上下幅（上下方向の長さ）が短くなるように形成している（図１、図２、図５参照）。
【００４１】
蓋部３の下端周縁、すなわち、上壁部３０の前縁と、蓋部後壁部３３、蓋部右側壁部３１および蓋部左側壁部３２の各下縁とには、これら下端から平面視で外側へ延びるフランジ部３８（３８ｆ，３８ｒｉ，３８ｌ，３８ｒ）が一体形成されている（図３参照）。
【００４２】
ここで、右側壁部１１は、図１、図４、図６、図７に示すように、蓋部右側壁部３１およびカバー本体右側壁部２１によって、左側壁部１２は、図２、図５、図８に示すように、蓋部左側壁部３２およびカバー本体左側壁部２２によって、後壁部１３は、図２、図５に示すように、蓋部後壁部３３およびカバー本体後壁部２３によって、何れも縦壁状に構成している。
【００４３】
上述のカバー本体部２および蓋部３は、何れも合成樹脂製の外皮部材４（例えば、４ｕ，４ｄ，４ｆ，４ｒ）と、当該外皮部材４の内面に一体的に配設された保温部材５（例えば、５ｕ，５ｄ，５ｆ，５ｒ）とを備えている（図６〜図８参照）。  
保温部材５は、保温効果に加えて吸音効果を有するように例えば、グラスウール材やウレタン材等から形成されており、配設対象の外皮部材４の内面の適宜の部位にクリップ等により取り付けられている。
【００４４】
図１、図３、図４に示すように、蓋部右側壁部３１の前部には、車幅方向外側へ延び、フランジ部３８ｒｉに対して上方へ突出した半円筒状のガイド部３５が一体形成されている。
【００４５】
ガイド部３５により囲まれた空間は、下方に開口するとともに右側壁部１１を車幅方向に貫通し、金属パイプ６１の挿通を許容する金属パイプ挿通用貫通部３５ａとして形成されている。
【００４６】
金属パイプ６１は、エンジンの駆動によって作動するようにカバー部材１の内部に配設された冷媒圧縮用のコンプレッサ６２０（図１、図２参照）と、車室側に備えた空調装置のエバポレータ（図示略）とを接続する冷媒パイプであって、カバー本体右側壁部２１の主要部を成す、後述するＰＰ材から形成された高剛性部４１および外皮部材４ｄ（図４、図７参照）よりも高剛性としている。
【００４７】
また図２、図３、図５に示すように、蓋部左側壁部３２の前部にも、車幅方向外側へ延び、フランジ部３８ｌに対して上方へ突出した半円筒状のガイド部３７が一体形成されている。
【００４８】
ガイド部３７により囲まれた空間は、下方に開口するとともに左側壁部１２を車幅方向に貫通し、蛇腹形状の吸気ホース６２の挿通を許容する吸気ホース挿通用貫通部３７ａとして形成されている。
【００４９】
図３に示すように、吸気ホース６２は、カバー部材１の外側に配設されたエアクリーナ６４と、該カバー部材１の内側に配設され、且つエンジン側に備えたインテークマニホールド（図示略）とを接続するものであり、これらの間の吸気通路を形成している。  
吸気ホース６２は、ゴム等の弾性（可撓性）素材により中空かつ蛇腹状に形成され、カバー本体左側壁部２２の主要部を成す、後述するＰＰ材から形成された高剛性部４３，４５（図５参照）よりも低剛性としている。
【００５０】
図１、図２に示すように、蓋部３の周縁、すなわち、蓋部３の下縁部に設けた各フランジ部３８の下面、金属パイプ挿通用のガイド部３５の下部、および左右各側の蓋部側壁部３１，３２の上下方向に延びる後縁辺３１ａ，３２ａ等には、ラバー部材から成るシール部材７０（７１，７２）を備えている。このうち、蓋部３の下縁部に設けた各フランジ部３８の下面に備えたシール部材７１は、下方へ舌片状に取り付けられている。また図１、図４に示すように、金属パイプ挿通用のガイド部３５の下面（内面）に取り付けられたシール部材７２は、金属パイプ挿通用貫通部３５ａの上半分を占めるように配設される。
【００５１】
蓋部３は、カバー本体後壁部２３の上端から車幅方向に間隔を隔てて配設された左右一対のヒンジ２４（図２参照）を介して開閉可能に枢着されている。
【００５２】
蓋部３が閉時においては、蓋部後壁部３３は、カバー本体後壁部２３によって、これらの間に備えたシール部材７１を介して弾性支持される（図２参照）。さらに蓋部３の前縁は、シュラウド８の上面に載置した状態で、これらの間に備えたシール部材７１を介して弾性支持され（図１参照）、蓋部右側壁部３１は、エンジンマウントブラケット９０およびカバー本体右側壁部２１によって、これらの間に備えたシール部材７１を介して弾性支持され（図１参照）、蓋部左側壁部３２は、カバー本体左側壁部２２によって、これらの間に備えたシール部材７１を介して弾性支持される（図２参照）。
【００５３】
特に上述したように、蓋部３が閉時においては、カバー部材１は、例えば、左右各側の蓋部側壁部３１，３２を、フランジ部３８に備えたシール部材７１が、左右各側のカバー本体側壁部２１，２２の各上端に圧接するように、これら左右各側のカバー本体側壁部２１，２２によって直下から支持することで、カバー本体部２による蓋部３の支持剛性を高めつつ、蓋部３の自重による、シール部材７１を介したカバー本体部２側への押圧力を利用して蓋部３とカバー本体部２との間のシール性を高めている。
【００５４】
続いてカバー本体右側壁部２１について主に図１、図４、図６、図７を用いて詳述する。  
カバー本体右側壁部２１は、エンジンの右側方（車両右側におけるエンジンの側方）の全体を覆うように配設しておらず、エンジンの右側方の車両前後方向の前側略半分に相当する領域に配設されている。
【００５５】
すなわち、エンジンの右側方は、その後側略半分に相当する領域に、エンジンマウントブラケット９０を配設している。このエンジンマウントブラケット９０によって、後壁部１３の右側の前縁辺と、カバー本体右側壁部２１の後縁辺との間に相当する領域を塞ぐことでカバー部材１を代用している。これにより、カバー本体右側壁部２１をコンパクト化してその重量およびコストの低減を図るよう構成している。
【００５６】
カバー本体右側壁部２１は、カバー本体右側壁上部２１ｕとカバー本体右側壁下部２１ｄとを上下各側に配設することで縦壁を成すパネル状に構成されている。このようにカバー本体右側壁部２１は、１枚のパネル等により上下方向に一体に形成せずにカバー本体右側壁上部２１ｕとカバー本体右側壁下部２１ｄとの分割構造とすることで、カバー本体右側壁部２１の上下各側２１ｕ，２１ｄのうち、必要に応じて一方の壁部のみを取り外すことができ、カバー本体右側壁部２１全体を取り外す構成と比してカバー部材１内部のサービス性（メンテナンス等の作業性）を高めている。
【００５７】
カバー本体右側壁上部２１ｕの下端とカバー本体右側壁下部２１ｄの上端とは、共に車両前後方向の略全体に亘って水平に形成され、カバー本体右側壁上部２１ｕの下端部が、その直下からカバー本体右側壁下部２１ｄの上端部によって支持される（図７参照）。これによりカバー本体右側壁上部２１ｕとカバー本体右側壁下部２１ｄとは、夫々上下各側に略隙間なく配設された状態でクリップおよび係合構造２５（図４参照）を利用して互い結合されている。
【００５８】
なお図４に示すように、係合構造２５は、カバー本体右側壁上部２１ｕの車両前後方向に水平に延びる下端の後部からカバー本体右側壁下部２１ｄに向けて舌片状に突出する係合突起２５ａと、カバー本体右側壁下部２１ｄの車両前後方向に水平に延びる上端における、該係合突起２５ａに対応する部位を下方に凹状に形成した被係合溝部２５ｂとで構成され、係合突起２５ａは、カバー本体右側壁上部２１ｕとカバー本体右側壁下部２１ｄとをパネル状に一体構成した状態において被係合溝部２５ｂに係合される。
【００５９】
カバー本体右側壁部２１は、カバー本体右側壁上部２１ｕとカバー本体右側壁下部２１ｄとに対応して、夫々独立して外皮部材４ｕ，４ｄ（図１、図４、図６、図７参照）と、これら外皮部材４ｕ，４ｄの内面に一体的に配設される保温部材５ｕ，５ｄ（図６、図７参照）とを備えている。
【００６０】
カバー本体右側壁下部２１ｄの外皮部材４ｄは、その全体を高剛性部材としてのＰＰ材から形成しており、該外皮部材４ｄの内面には、カバー本体右側壁上部２１ｕに備えた保温部材５ｕとは別部材から成る保温部材５ｄを備えている（図６、図７参照）。
【００６１】
また図１、図４、図６、図７に示すように、カバー本体右側壁上部２１ｕの外皮部材４ｕは、高剛性部４１と、該高剛性部４１よりも上側に位置する低剛性部４２とで一体成形により縦壁状に構成されている。
【００６２】
ここで当例では高剛性部４１は、カバー本体右側壁下部２１ｄの外皮部材４ｄと同様にＰＰ材から成り、低剛性部４２は、ＰＰ部材よりも剛性が低い低剛性部材としてのエラストマー樹脂材から成る。  
なお、カバー部材１は、カバー本体右側壁部２１以外についても、外皮部材４を適宜、ＰＰ材から形成しているが、例えば、カバー本体後壁部２３や蓋部後壁部３３等、エキゾーストマニホールドや触媒装置等の排気系部品（図示略）からの熱害の影響が懸念される部位においては、必要に応じてガラス繊維を含有してもよい。
【００６３】
カバー本体右側壁上部２１ｕの外皮部材４ｕを、上述したように高剛性部４１と低剛性部４２とで一体成形により構成することで、高剛性部４１と低剛性部４２との間に、両部４１，４２間に、互いを連結するための連結構造や隙間等が介在することがなく、両部材の少なくとも各内面（エンジンを臨む側の面）が上下方向に連続するように平坦に形成することができる（図６、図７の特に図７中のＸ部拡大部分参照）。
【００６４】
よって、カバー本体右側壁上部２１ｕの外皮部材４ｕを、上述したように高剛性部４１と低剛性部４２とで一体成形により構成することで、保温部材５ｕは、カバー本体右側壁上部２１ｕの高剛性部４１と低剛性部４２とに対応して別々に形成することがなく（図６、図７参照）、カバー本体右側壁上部２１ｕの略全体に亘って連続して一体に形成したものを、高剛性部４１と低剛性部４２との間（境界部）を跨ぐようにしてカバー本体右側壁上部２１ｕの外皮部材４ｕの内面に配設することができる（同図参照）。
【００６５】
なお図７中のＸ部拡大部分に示すように、低剛性部４２の下端部と高剛性部４１の上端部とには、それぞれ車幅方向に互い違いになるように相手側に向けて突き出す段部４２ｔ，４１ｔを設けることで、低剛性部４２と高剛性部４１とを上下各側に配置した状態において、互いの段部４２ｔ，４１ｔが係合し合うことで車幅方向のズレを抑制している。
【００６６】
図１、図４に示すように、高剛性部４１は、カバー本体右側壁上部２１ｕの外皮部材４ｕの下部において、低剛性部４２は、カバー本体右側壁上部２１ｕの外皮部材４ｕの上部において、夫々カバー本体右側壁上部２１ｕの車両前後方向の全体に亘って形成されている。
【００６７】
すなわち、カバー本体右側壁上部２１ｕの外皮部材４ｕの上下方向の少なくとも下端部は、その車両前後方向全体に亘って高剛性部４１が形成されるとともに、カバー本体右側壁上部２１ｕの外皮部材４ｕの上端部は、該カバー本体右側壁上部２１ｕの車両前後方向全体に亘って低剛性部４２が形成される。
【００６８】
上記構成により、カバー本体右側壁部２１は、縦壁を成すパネル状に構成されており、該カバー本体右側壁部２１の外皮部材４（４ｕ，４ｄ）は、その略全体（詳しくは、カバー本体右側壁上部２１ｕの高剛性部４１およびカバー本体右側壁下部２１ｄの外皮部材４ｄに相当する部位）が高剛性部材としてのＰＰ材によって形成される一方、該カバー本体右側壁部２１の上端部に車両前後方向の全体に亘って低剛性部材としてのエラストマー樹脂材によって形成される。
【００６９】
特に本実施形態の右側壁部１１（カバー本体右側壁部２１）は、その車両前後方向における、低剛性部４２の占有率が、該右側壁部１１の後方側よりも前方側が高くなるように構成されている。
【００７０】
具体的に図４に示すように、カバー本体右側壁部２１の上下方向の少なくとも上端部において、車両前後方向に沿って延びる低剛性部４２は、低剛性幅小部４２ｒと、低剛性傾斜状拡幅部４２ｍと、低剛性直線状拡幅部４２ｆとで、該カバー本体右側壁部２１の後端から前端に亘ってこの順に一体に構成される。  
低剛性幅小部４２ｒは、右側壁部１１の後端から金属パイプ挿通用のガイド部３５の後縁手前まで右側壁部１１の上端部に沿って延びており、その車両前後方向に亘って、蓋部右側壁部３１の下縁のフランジ部３８ｒｉの下面に沿って取り付けた舌片状のシール部材７１と略同じ上下幅（上下方向の長さ）を有している。
【００７１】
低剛性傾斜状拡幅部４２ｍは、ガイド部３５の後縁から前縁まで車両前後方向に沿って延びている。すなわち、この低剛性傾斜状拡幅部４２ｍはガイド部３５の直下に配設されている。低剛性傾斜状拡幅部４２ｍは、その下端部が車両前方程下方へ傾斜状に延びている。
【００７２】
これにより、低剛性傾斜状拡幅部４２ｍは、カバー本体右側壁上部２１ｕの上端部に沿って配設される低剛性幅小部４２ｒの上下幅と略同じ上下幅を有する後端部から車両前方程徐々に上下幅が長くなり、前端がカバー本体右側壁上部２１ｕの下部を除く上下幅となるまで拡幅される。
【００７３】
低剛性傾斜状拡幅部４２ｍの上端には、車両右側から見てガイド部３５に囲まれた内部領域（金属パイプ挿通用貫通部３５ａ）のうち、略下半分に相当する領域に達するまで延出する低剛性上方延出部４２ａが一体形成されている（図４参照）。
【００７４】
そして、低剛性上方延出部４２ａと、金属パイプ挿通用貫通部３５ａの略上半分に備えたシール部材７２とで、該金属パイプ挿通用貫通部３５ａに挿通された金属パイプ６１を上下両側から挟み込むようにして弾性支持している（図４、図６参照）。
【００７５】
低剛性直線状拡幅部４２ｆは、低剛性傾斜状拡幅部４２ｍの前端の上下幅、すなわち、カバー本体右側壁上部２１ｕの下部を除いた上下幅を維持しつつ、低剛性傾斜状拡幅部４２ｍの前端からカバー本体右側壁上部２１ｕの前端まで前方に延びている。
【００７６】
上述したように、カバー本体右側壁部２１は、その車両前後方向における、低剛性幅小部４２ｒを備えた後部が、金属パイプ挿通用貫通部３５ａに対して後方に配設されるとともに、低剛性傾斜状拡幅部４２ｍを備えた中間部が、金属パイプ挿通用貫通部３５ａの直下に配設され、さらに低剛性直線状拡幅部４２ｆを備えた前部が金属パイプ挿通用貫通部３５ａに対して前方に配設される。これにより、カバー本体右側壁部２１は、後方よりも前方において低剛性部４２（低剛性部材）の占有率が高くなるように構成されている。
【００７７】
さらに、カバー本体右側壁部２１は、上述したように、その車両前後方向における、特に、中間部に、後部に備えた低剛性幅小部４２ｒよりも上下幅を有する低剛性傾斜状拡幅部４２ｍを（低剛性上方延出部４２ａも含めて）備えることで、金属パイプ挿通用貫通部３５ａの直下に位置する中間部を、金属パイプ挿通用貫通部３５ａに対して後方に位置する後部と比して低剛性部４２が占める割合を高めた構成、すなわち上下方向に撓み易い構成としている。
【００７８】
これにより、高剛性の金属パイプ６１を金属パイプ挿通用貫通部３５ａに挿通することにより、ボンネット６上方からの衝撃吸収性能が低下することが懸念される当該部位における衝撃吸収性を担保する構成としている。
【００７９】
また図３に示すように、カバー本体右側壁部２１の後側かつ車両右側にはサブタンク６３が隣接配置されている。
【００８０】
サブタンク６３は、不図示のラジエータと、配管を介して接続され、ラジエータ内の冷却水の温度上昇に伴うオーバーフロー分が流入して貯留する一方、ラジエータ内の冷却水が蒸発等により損失すると、貯留する冷却水をラジエータ側へ戻すことで、ラジエータ内の冷却水を所定量に保つものである。
【００８１】
カバー本体右側壁部２１は、その少なくともカバー本体右側壁下部２１ｄがラジエータサブタンク６３に取り付けられ、該ラジエータサブタンク６３を介してカバー本体右側壁部２１の下方に配設された車両右側のフロントサイドフレーム７等によって下側から支持されている。
【００８２】
続いてカバー本体左側壁部２２について主に図２、図５、図８を用いて詳述する。  
カバー本体左側壁部２２は、エンジンの左側方（車両左側におけるエンジンの側方）の両前後方向の前側略半分に相当する領域に配設されるカバー本体左側壁前部２２ｆと、後側略半分に相当する領域に配設されるカバー本体左側壁後部２２ｒとで構成され、夫々外皮部材４ｆ，４ｒと、当該外皮部材４ｆ，４ｒの内面に配設された保温部材５ｆ，５ｒ（図８参照）とを備えている。
【００８３】
カバー本体左側壁前部２２ｆの外皮部材４ｆは、高剛性部４３と、該高剛性部４３よりも上側に位置する低剛性部前側部分４４とで構成されている（図２、図５参照）。カバー本体左側壁後部２２ｒの外皮部材４ｒは、高剛性部４５と、該高剛性部４５よりも上側に位置する低剛性部後側部分４６とで構成されている（図２、図５、図８参照）。
【００８４】
ここで、カバー本体左側壁前部２２ｆの上縁に備えた上記の低剛性部前側部分４４と、カバー本体左側壁後部２２ｒの上縁に備えた上記の低剛性部後側部分４６とでもって車両前後方向に連続する低剛性部４７が一体に形成されている。
【００８５】
そして、カバー本体左側壁部２２においてもカバー本体右側壁部２１と同様に、高剛性部４３，４５はＰＰ材から成り、低剛性部４７は、ＰＰ部材よりも剛性が低いエラストマー樹脂材から成る。
【００８６】
また当例のカバー本体左側壁部２２においては、カバー本体右側壁部２１と同様に、吸音効果を有する保温部材５ｆ，５ｒを備えているが、該保温部材５ｆ，５ｒは、前後各側の壁部２２ｆ，２２ｒの高剛性部４３，４５の内面にのみ備え、低剛性部４７の内面には備えずに構成している（図８参照）。  
但し、本発明は、言うまでもなく保温部材５を低剛性部４７の内面に備えた構成を排除せず、また、その場合には、高剛性部４３，４５と低剛性部４７との夫々に備えた保温部材５を一体に形成してもよい。
【００８７】
また図２、図５に示すように、カバー本体左側壁前部２２ｆの上端かつ、車両前後方向の中間位置は、吸気ホース挿通用貫通部３７ａの略下半分に対応して、下方に半円状に凹んだ逃げ部２２ａが形成され、この逃げ部２２ａは、上方に半円状に突出したガイド部３７と共に略円形状の上記吸気ホース挿通用貫通部３７ａを形造っている。
【００８８】
吸気ホース６２における、吸気ホース挿通用貫通部３７ａへの挿通部分には、弾性体から成る鍔状のシールリップ６２ａが一体形成されている。そして、このシールリップ６２ａがガイド部３７の下面およびカバー本体左側壁前部２２ｆの逃げ部２２ａの上面に圧接することで、吸気ホース挿通用貫通部３７ａにおける、ガイド部３７およびカバー本体左側壁前部２２ｆとの隙間を閉塞している。
【００８９】
また、カバー本体左側壁前部２２ｆの高剛性部４３の後端と、カバー本体左側壁後部２２ｒの高剛性部４５の前端とは、車両前後方向にオーバーラップしており、該オーバーラップ部分においてクリップによって互いに連結している。
【００９０】
さらにまた、上記の低剛性部４７は、カバー本体左側壁前部２２ｆの逃げ部２２ａの後縁からカバー本体左側壁後部２２ｒの車両前後方向の中間位置まで車両前後方向に延びている。すなわち、低剛性部４７は、カバー本体左側壁前部２２ｆとカバー本体左側壁後部２２ｒとを跨ぐように配設されている（図２、図５参照）。
【００９１】
カバー本体左側壁部２２においては、蓋部左側壁部３２を、その直下側から低剛性部４７を含めた上端によって、シール部材７１を介して支持している。
【００９２】
特に、カバー本体左側壁部２２のカバー本体左側壁前部２２ｆは、車両前後方向の吸気ホース挿通用貫通部３７ａに対応する部位に、該吸気ホース挿通用貫通部３７ａに挿通された吸気ホース６２がシールリップ６２ａを含めて介在するため、該吸気ホース６２によって蓋部３のガイド部３７を、その直下から支持する構成を採用している。
【００９３】
このように吸気ホース６２によって蓋部３のガイド部３７を支持することで、カバー本体左側壁前部２２ｆの車両前後方向の吸気ホース挿通用貫通部３７ａに対応する部位おいては、上述したように低剛性部４７を設けずに高剛性部材としてのＰＰ材よりも低剛性である（上下方向の弾性に優れた）吸気ホース６２によって代用している。
【００９４】
また図３に示すように、カバー本体左側壁前部２２ｆの前部外側には、吸気系部品としてのエアクリーナ６４とフレッシュエアダクト６５とが隣接配置されている。
【００９５】
カバー本体左側壁部２２のカバー本体左側壁前部２２ｆは、その少なくとも下側に位置する高剛性部４３がエアクリーナ６４に取り付けられ、該エアクリーナ６４を介してカバー本体左側壁前部２２ｆよりも下方に配設された車両左側のフロントサイドフレーム（図示省略）等によって下側から支持されている。
【００９６】
カバー本体左側壁部２２のカバー本体左側壁後部２２ｒは、その後縁がカバー本体後壁部２３の左縁にクリップ等によって取り付けられるとともに、その前縁が上述したように、カバー本体左側壁前部２２ｆの後縁にクリップ等によってに取り付けられている。すなわち、カバー本体左側壁部２２のカバー本体左側壁後部２２ｒは、カバー本体後壁部２３やカバー本体左側壁前部２２ｆ等を介して車両左側のフロントサイドフレーム（図示省略）等によって下側から支持されている。
【００９７】
図１〜図３に示すように、上述した本実施形態の車両の前部構造は、ボンネット６の下方に、エンジン上部から側方にかけて覆う、上壁部３０、前壁部としてのシュラウド８、後壁部１３、および左右各側の側壁部１１，１２から構成されるカバー部材１を備える車両の前部構造であって、右側壁部１１の前方側に、該前方側が後方側に対し剛性が低い低剛性部材としてのエラストマー樹脂から形成される低剛性部４２を備えるとともに（図１、図４、図６、図７参照）、左側壁部１２の前方側に、該前方側が後方側に対し剛性が低い低剛性部材としてのエラストマー樹脂から形成される低剛性部４７（４４および４６）、６２を備えたものである（図２、図５、図８参照）。
【００９８】
上記構成によれば、ボンネット６前部の衝撃吸収性能を高めることで、車両と歩行者との衝突時に、ボンネット６に上方から傾倒する歩行者が該ボンネット６前部から受ける衝撃を緩和して歩行者の保護に寄与することができる。
【００９９】
この発明の態様として、カバー部材１は、上壁部３０と左右各側の蓋部側壁部３１，３２（開閉側壁部）と蓋部後壁部３３（開閉後壁部）とを有する開閉可能な蓋部３（開閉カバー）を備え（図１〜図３参照）、左右各側の側壁部１１，１２は、左右各側の蓋部側壁部３１，３２と、該左右各側の蓋部側壁部３１，３２の下端をシール部材７０（７１，７２）を介し上端で支持する左右各側のカバー本体側壁部２１，２２（左右各側の固定側壁部）とから構成され（図１、図２等参照）、後壁部１３は、蓋部後壁部３３（開閉後壁部）と、該蓋部後壁部３３をヒンジ２４を介し回動可能に支持するカバー本体後壁部２３（固定後壁部）とから構成され（図２参照）、左右各側のカバー本体側壁部２１，２２の前部の上側部を下側部に対し剛性の低い低剛性部４２，４７（４４，４６），６２によって構成したものである（図１、図２等参照）。
【０１００】
上記構成によれば、カバー部材１にカバー本体部２（左右各側のカバー本体側壁部２１，２２およびカバー本体後壁部２３）に対して開閉可能な蓋部３を備え、カバー本体部２と蓋部３との間のシール性を確保するために蓋部３の下端部をカバー本体部２の上端部によって下側から支持する構成において、カバー本体部２による、蓋部３の支持剛性を確保した上でボンネット６前部の衝撃吸収性能を良好にできる。
【０１０１】
詳しくは、カバー部材にカバー本体部に対して開閉可能な蓋部を備えたものとして、例えば、上述した特許文献１（特開２０１７−１７７９６６号公報）のカバー部材が開示されている。
【０１０２】
この特許文献１のカバー部材（３０）は、蓋部（３３）が閉時に、カバー本体部（３４）の上部にシール部材（３７）を介して車両側方から当接するようになっている。
【０１０３】
この構成においては、蓋部（３３）を、その下側からカバー本体部（３４）によってダイレクトに受け止めて支持する構成ではないことから、上方からの衝撃に対して蓋部（３３）の下方へのズレを許容し易くなり、結果的にボンネット前部の衝撃吸収性能を確保し易い構成といえるものの、カバー本体部（３４）による蓋部（３３）の支持剛性や、これら両部材（３３，３４）間のシール性について懸念される。
【０１０４】
その一方で、カバー部材は、蓋部の下端部をカバー本体部の上端によってシール部材を介して直接下側から支持する構造とした場合に、蓋部からの自重による押圧をカバー本体部によってダイレクトに受け止めることが可能となるため、蓋部とカバー本体との間のシール性確保の点からは有効である。
【０１０５】
しかしながら、単純にこの構造を採用した場合には、蓋部のカバー本体部に対する下方へのズレに伴う下方への衝撃吸収性が減滅するとともに、カバー本体部には、このように蓋部を下側から支持できる程度の剛性が必要となる。加えて、ボンネットの前部は後方よりも降下した形状であるが故にカバー本体部の上下幅を確保することが困難となるため、ボンネット前部における衝撃吸収性能を確保し難くなることが懸念される。
【０１０６】
これに対して本実施形態においては、左右各側のカバー本体側壁部２１，２２（固定側壁部）の全体を低剛性部４２，４７により構成せずに、該カバー本体側壁部２１，２２の前部の上側部を下側部に対し剛性が低くなるように低剛性部４２，４７を配設したため、蓋部３の支持剛性を確保した上でボンネット６前部の衝撃吸収性能を良好にできる。
【０１０７】
特に、左右各側のカバー本体側壁部２１，２２（固定側壁部）の前部の上側部を下側部に対し剛性が低くなるように低剛性部４２，４７を配設することで、該低剛性部４２，４７の下方に、高剛性部４１や高剛性部材（ＰＰ材）により形成した外皮部材４ｄを配設することができ、これら低剛性部４２，４７と高剛性部４１等とを上下逆に配設した構成と比して低剛性部４２，４７に加わる上方からの荷重を低減してカバー本体側壁部２１，２２の前部においても、蓋部３の支持剛性を極力確保することができる。
【０１０８】
この発明の態様として、高剛性部４１，４３，４５および外皮部材４ｄは、ＰＰ材から形成されるとともに、低剛性部４２，４７（４４，４６），６２は、ＰＰ材よりも剛性が低いエラストマー樹脂材やゴム等から形成され、右側壁部１１に備えたカバー本体右側壁部２１はその主要部が外皮部材４ｄおよび高剛性部４１により構成され、カバー本体側壁部２１の前部は、後部と比して低剛性部４２の占める割合が高くなるように構成されたものであり（図１、図４、図６、図７参照）、また、左側壁部１２に備えたカバー本体左側壁部２２はその主要部が高剛性部４３，４５により構成され、カバー本体左側壁部２２の前部は、後部と比して低剛性部４７（４４，４６），６２の占める割合が高くなるように構成されたものである（図２、図５、図８参照）。
【０１０９】
上記構成によれば、ＰＰ材により側壁部１１，１２の基礎となる剛性を確保しつつ、エラストマー樹脂材により側壁部１１，１２の前部の剛性を部分的に下げることができる。
【０１１０】
この発明の態様として、右側壁部１１に備えたカバー本体右側壁上部２１ｕの外皮部材４ｕは、高剛性部４１と低剛性部４２とが一体成形により構成されたものであり（図１、図４、図６、図７参照）、また、左側壁部１２に備えたカバー本体左側壁前部２２ｆの外皮部材４ｆは、高剛性部４３と低剛性部前側部分４４とが一体成形により構成されるとともに（図２、図５参照）、左側壁部１２に備えたカバー本体左側壁後部２２ｒの外皮部材４ｒは、高剛性部４５と低剛性部後側部分４６とが一体成形により構成されたものである（図２、図５、図８参照）。
【０１１１】
上記構成によれば、例えば、高剛性部材から成る側壁部と低剛性部材から成る側壁部とを別々に構成し、互いに連結する場合のように連結部材や連結作業が不要となるため、部品点数および組立工数を削減できる。
【０１１２】
この発明の態様として、右側壁部１１に備えたカバー本体右側壁上部２１ｕの外皮部材４ｕの内壁面側に、保温部材５ｕが取付けられるとともに、高剛性部４１と低剛性部材４２とを一体形成されたものである（図１、図４、図６、図７参照）。
【０１１３】
上述したように、カバー本体右側壁上部２１ｕは高剛性部４１と低剛性部４２とが一体成形されたものであるため、これら４１，４２の間において略隙間なく滑らかに連続する面状に形成することができる（図７中のＸ部分拡大図参照）。
【０１１４】
このため、高剛性部４１と低剛性部４２とが一体成形により構成されたカバー本体右側壁上部２１ｕの内壁面側に対して、上下各側に保温部材５ｕを、これら４１，４２の間を跨ぐようにして隙なく取り付けることができる（図６、図７参照）。
【０１１５】
この発明の態様として、右側壁部１１の上部には、低剛性部４２より剛性の高い車両部品としての金属パイプ６１を挿通する金属パイプ挿通用貫通部３５ａ（高剛性車両部品挿通用貫通部）が設けられており（図１、図４、図６参照）、右側壁部１１における金属パイプ挿通用貫通部３５ａの下方に有するカバー本体右側壁部２１は、低剛性部４２が占める割合が車両前後方向の他部（特に車両後部）より高く設けられたものである（図１、図４参照）。
【０１１６】
上記構成によれば、剛性の高い金属パイプ６１の、カバー部材１の右側壁部１１に対して内外各側を跨ぐ配索と、ボンネット６前部の衝撃吸収性能とを両立できる。
【０１１７】
この発明の態様として、左側壁部１２の上部には、高剛性部４３，４５よりも剛性が低い車両部品としての吸気ホース６２を挿通する吸気ホース挿通用貫通部３７ａ（低剛性車両部品挿通用貫通部）が設けられており（図２、図５参照）、吸気ホース挿通用貫通部３７ａに挿通した吸気ホース６２が低剛性部４６を代用する構成としたものである。
【０１１８】
上記構成によれば、吸気ホース挿通用貫通部３７ａに挿通した吸気ホース６２は、蛇腹かつ中空形状であり、上方からの衝撃に対して上下方向に圧縮変形（弾性変形）可能であるため、この吸気ホース６２を利用してボンネット６前部の衝撃吸収性能を良好にできる。
【０１１９】
この発明は、上述の実施例の構成のみに限定されるものではなく様々な実施形態で形成することができる。  
【符号の説明】
【０１２０】
１…カバー部材
３…蓋部（開閉カバー）
５ｕ…保温部材
６…ボンネット
８…シュラウド（前壁部）
１３…後壁部
１１，１２…左右各側の側壁部
２１，２２…左右各側のカバー本体側壁部（左右各側の固定側壁部）
２３…カバー本体後壁部（固定後壁部）
２４…ヒンジ
３０…上壁部
３１，３２…左右各側の蓋部側壁部（左右各側の開閉側壁部）
３３…蓋部後壁部（開閉後壁部）
３５ａ…金属パイプ挿通用貫通部（高剛性車両部品挿通用貫通部）
３７ａ…吸気ホース挿通用貫通部（低剛性車両部品挿通用貫通部）
４１，４３，４５…（高剛性部材によって形成される）高剛性部（高剛性部材、ＰＰ材）
４７（４４および４６）、６２…（低剛性部材によって形成される）低剛性部（低剛性部材、エラストマー樹脂材）
４２…高剛性車両部品貫通用貫通部の下方に設けられる低剛性部材
４３…低剛性車両部品挿通用貫通部に挿通した車両部品に代用される低剛性部材
６１…金属パイプ（低剛性部材より剛性の高い車両部品）
６２…吸気ホース（高剛性部材よりも剛性が低い車両部品）
７０（７１，７２）…シール部材
【図１】
2019206948.tif 000003
【図２】
2019206948.tif 000004
【図３】
2019206948.tif 000005
【図４】
2019206948.tif 000006
【図５】
2019206948.tif 000007
【図６】
2019206948.tif 000008
【図７】
2019206948.tif 000009
【図８】
2019206948.tif 000010